(57)【要約】【課題】高速風噴流が放射する音のパワーによって騒音が増大するため、風速を低減することが最も騒音を低減することに効果があるが、風速を低減すると運動エネルギーが低減するという課題がある。【解決手段】流入口１に整流格子５を設置した構成となるのものであり、噴流発生部４から噴流が放出され、噴出口２近傍にて噴出流速を維持するポテンシャルコアの領域が発生する。このポテンシャルコアの領域が変化して、周囲の空気を巻き込みながら広がる混合領域や減衰が進む遷移領域に影響し乱流成分を減少することで騒音が低減するという作用を有する。【選択図】図１
2006007123.tif 000002
【特許請求の範囲】
【請求項１】
気体を噴出口から噴出させる噴流発生部をもち、気体を流入させる流入口をもつノズルであって流入口に整流手段を設置した構成となるブローノズル。
【請求項２】
気体を噴出口から噴出させる噴流発生部をもち、気体を流入させる流入口をもつノズルであって流入口に整流格子を設置した構成となるブローノズル。
【請求項３】
気体を噴出口から噴出させる噴流発生部をもち、気体を流入させる流入口をもつノズルであって噴出口の形状を幅の広い長方形として、流入口に整流手段を設置した構成となるブローノズル。
【請求項４】
噴出口と整流手段との距離に一定間隔を持たせたことを特徴とする請求項１または２記載のブローノズル。
【請求項５】
流入口にテーパ形状を持たせたことを特徴とする請求項１から３記載のブローノズル。
【請求項６】
噴出口の形状を円孔列の形状としたことを特徴とする請求項１から３記載のブローノズル。
【請求項７】
噴出口の形状を多数の円郡形状としたことを特徴とする請求項１から３記載のブローノズル。
【請求項８】
噴出口の形状を風量増幅するために通風路に穴を開けたことを特徴とする請求項１から３記載のブローノズル。
【請求項９】
整流手段を金網にて作成したことを特徴とする請求項１から３記載のブローノズル。
【請求項１０】
整流手段を不織布にて作成したことを特徴とする請求項１から３記載のブローノズル。
【請求項１１】
整流手段を樹脂製フィルターにて作成したことを特徴とする請求項１から３記載のブローノズル。
【発明の詳細な説明】
【技術分野】
【０００１】
本発明は、流体のもつ圧力エネルギーを運動エネルギーに変換するためのブローノズルに関するものである。
【背景技術】
【０００２】
ノズルにより、流体のもつ圧力エネルギーを運動エネルギーに変換して、流体の連続的な噴流を作り出すことができる。この連続的な噴流を物体に直接当てて、物体に付着した粉体を除去したり、物体を冷却したり、空気の噴流により物体に付着した水分を除去するものである。従来のノズルでは流入口と噴出口をもち、流入口には物体が配置されず、かつ噴出口はスリット状、略円形状、または円孔列となったものである（特許文献１参照、非特許文献１参照）。
【０００３】
または、波型のような特殊な形状のものもある（特許文献２参照）。
【０００４】
以下、図１４、図１５を参照しながら説明する。
【０００５】
この図のようにブローノズルは流入口１と噴出口２をもち、流入口１から噴出口２までの連通した通風路３と噴流を吐出する自由空間に面する部分を含めた噴流発生部４にて構成されている。また流入口１および噴出口２を幅の広い長方形の形状に作成している。流入口１の部分には急縮小による圧力損失を低減するためにテーパまたは略半径形状としている。また流入口１の部分は自由空間から隔離されており、高圧送風機などにより昇圧された空気が流入される。昇圧された空気が通風路３と噴出口２を経過して高速風に変換される。
【特許文献１】特開２００２−２０４９８３号公報
【特許文献２】特開２００３−１２０４２０号公報
【非特許文献１】社河内敏彦著「噴流工学」森北出版、２００４年３月２４日、３−５頁
【発明の開示】
【発明が解決しようとする課題】
【０００６】
このような従来のブローノズルでは、高速風噴流が放射する音のパワーによって騒音が増大するため、風速を低減することが最も騒音を低減することに効果があるが、風速を低減すると運動エネルギーが低減するという課題があり、また流体を流入する送風機側の圧力変動や流体配管の状況により乱れや脈動があり、ブローノズルの吹出しにおいて騒音増大する影響を与えているという課題がある。本発明は、このような従来の課題を解決するものであり、高速風の噴流の生成状況を変化させることで放射する音のパワーを減少させ、風速を減速させることなく騒音を低減できるため、運動エネルギーが維持することができ、また乱れや脈動を防止させ、吹出しにおける悪影響をなくすことができるブローノズルを提供することを目的としている。
【課題を解決するための手段】
【０００７】
本発明のブローノズルは、上記目標を達成するため流入口に整流手段を設置した構成となることを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。噴出口の形状を幅の広い長方形とする理由は、高速風への変換に効率がよく、できる限り広い範囲に噴流を発生できるためである。
【０００８】
また、流入口に整流格子を設置した構成となることを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【０００９】
また、流入口に整流手段を設置した構成となることを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１０】
また、噴出口と整流手段との距離に一定間隔を持たせたことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１１】
また、流入口に略円弧またはテーパ形状を持たせたことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１２】
また、噴出口の形状を円孔列の形状としたことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１３】
また、噴出口の形状を多数の円郡形状としたことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１４】
また、噴出口の形状を風量増幅するために通風路に穴を開けたことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１５】
また、整流手段を金網にて作成したことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１６】
また、整流手段を不織布にて作成したことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【００１７】
また、整流手段を樹脂製フィルターにて作成したことを特徴とする。そして、本発明によれば高速風の噴流の生成状況を変化させることで放射する音のパワーを減少させ、風速を減速させることなく騒音を低減できるため、運動エネルギーが維持するとともに乱れや脈動を防止させ、吹出しにおける悪影響をなくすことができるブローノズルが得られる。
【発明の効果】
【００１８】
本発明によれば流入口に整流手段を設置した構成となることにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００１９】
また、流入口に整流格子を設置した構成となることにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２０】
また、流入口に整流手段を設置した構成となることにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２１】
また、噴出口と整流手段との距離に一定間隔を持たせたことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２２】
また、流入口に略円弧またはテーパ形状を持たせたことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２３】
また、噴出口の形状を円孔列の形状としたことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２４】
また、噴出口の形状を多数の円郡形状としたことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２５】
また、噴出口の形状を風量増幅するために通風路に穴を開けたことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２６】
また、整流手段を金網にて作成したことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２７】
また、整流手段を不織布にて作成したことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【００２８】
また、整流手段を樹脂製フィルターにて作成したことにより風速を維持し、運動エネルギーを減少することなく騒音を低減できる。場合によっては騒音を現状維持して、風速を向上できるため運動エネルギーを増加させ、粉体除去、冷却、水分除去の効果を増大することができるという効果のあるブローノズルを提供できる。
【発明を実施するための最良の形態】
【００２９】
本願発明は、流入口に整流手段を設置した構成となるものであり、噴流発生部から噴流が放出され、噴出口近傍にて噴出流速を維持するポテンシャルコアの領域が発生する。このポテンシャルコアの領域が変化して、周囲の空気を巻き込みながら広がる混合領域や減衰が進む遷移領域に影響し乱流成分を減少することで騒音が低減するという作用を有する。
【００３０】
また流入口に整流格子を設置した構成となるものであり、噴流発生部から噴流が放出され、噴出口近傍にて噴出流速を維持するポテンシャルコアの領域が発生する。このポテンシャルコアの領域が変化して、周囲の空気を巻き込みながら広がる混合領域や減衰が進む遷移領域に影響し乱流成分を減少することで騒音が低減するという作用を有する。噴出口の形状を幅の広い長方形とする理由は、高速風への変換に効率がよく、できる限り広い範囲に噴流を発生できるためである。
【００３１】
以下、本発明の実施の形態について図面を参照しながら説明する。
【００３２】
（実施の形態１）
図１から図４を参照しながら説明する。ブローノズルは流入口１と噴出口２をもち、流入口１から噴出口２までの連通した通風路３と噴流を吐出する自由空間に面する部分を含めた噴流発生部４にて構成されている。流入口１および噴出口２を幅の広い長方形の形状に作成している。流入口１の部分は自由空間から隔離されており、高圧送風機などにより昇圧された空気が流入される。昇圧された空気が通風路３と噴出口２を経過して高速風に変換される。ここで流入口１に整流格子５を設置することで昇圧された空気を整流化し、また昇圧した空気の脈動を緩和することで高速風に変換される際の騒音発生が大幅に減少する。整流格子５の材質は金網や不織布などが考えられ、製品において設置しやすいものを選定する。また流入口１の部分には急縮小による圧力損失を低減するためにテーパ６を設置している。この形状は略半径形状としても同様の効果が得られる。
【００３３】
整流格子５は、整流効果のあるものであれば特に素材を限定しないが、できる限り目の細かいものが適している。しかし目が細かすぎる場合は埃などにより目詰まりするため注意が必要である。特に整流効果の高いものとして金網、不織布、樹脂製フィルタなどがあるが、製品形態や取り付けやすさにより、都度選定して設置するのが望ましい。樹脂製フィルタは圧着なども可能である。
【００３４】
（実施の形態２）
図５から図８を参照しながら説明する。ブローノズルは流入口１と噴出口２をもち、流入口１から噴出口２までの連通した通風路３と噴流を吐出する自由空間に面する部分を含めた噴流発生部４にて構成されている。流入口１および噴出口２を円形状として円孔列に配置している。流入口１の部分には急縮小による圧力損失を低減するためにテーパまたは略半径形状としている。また流入口１の部分は自由空間から隔離されており、高圧送風機などにより昇圧された空気が流入される。昇圧された空気が通風路３と噴出口２を経過して高速風に変換される。ここで流入口１に整流格子５を設置することで昇圧された空気を整流化し、また昇圧した空気の脈動を緩和することで高速風に変換される際の騒音発生が大幅に減少する。
【００３５】
円孔列の配置以外にも、図９、図１０のように流入口１および噴出口２を円形状として複数の穴をランダムに配置する方法もある。
【００３６】
（実施の形態３）
図１１から図１３を参照しながら説明するブローノズルは流入口１と噴出口２をもち、流入口１から噴出口２までの連通した通風路３と噴流を吐出する自由空間に面する部分を含めた噴流発生部４にて構成されている。流入口１の部分には急縮小による圧力損失を低減するためにテーパまたは略半径形状としている。また流入口１の部分は自由空間から隔離されており、高圧送風機などにより昇圧された空気が流入される。昇圧された空気が通風路３と噴出口２を経過して高速風に変換される。高速風が通風路３を通過する際に、通風路に穴７が設置されており、ここから空気が誘引され、風量が増幅する。ここで流入口１に整流格子５を設置することで昇圧された空気を整流化し、また昇圧した空気の脈動を緩和することで高速風に変換される際の騒音発生が大幅に減少する。
【００３７】
（実施の形態４）
構成はすべてその他の実施の形態と同様であり、騒音を現状維持して風速を向上することで運動エネルギーを増加させ、粉体除去、冷却、水分除去の効果を増大することができるという効果をもたせることができる。
【産業上の利用可能性】
【００３８】
ブローノズルに取付けた薄板や整流格子の効果を用いて容易に騒音低減が可能であり、ハンドドライヤの吹出しノズル、エアーカーテン、切削品の冷却や切削粉除去用のノズル、工場での水分除去用ノズルなどの用途にも適用できる。
【図面の簡単な説明】
【００３９】
【図１】本発明の実施例１のブローノズルを示す斜視断面図
【図２】同側断面図
【図３】同正面図
【図４】同背面図
【図５】本発明の実施例２のブローノズルを示す斜視図
【図６】同斜視断面図
【図７】同側断面図
【図８】同背面図
【図９】実施例２のその他の形状を示す斜視図
【図１０】同斜視断面図
【図１１】本発明の実施例２のブローノズルを示す斜視図
【図１２】同斜視断面図
【図１３】同側断面図
【図１４】従来のブローノズルの形状を示す斜視図
【図１５】同斜視断面図
【符号の説明】
【００４０】
１  流入口
２  噴出口
３  通風路
４  噴流発生部
５  整流格子
６  テーパ
７  穴
【図１】
2006007123.tif 000003
【図２】
2006007123.tif 000004
【図３】
2006007123.tif 000005
【図４】
2006007123.tif 000006
【図５】
2006007123.tif 000007
【図６】
2006007123.tif 000008
【図７】
2006007123.tif 000009
【図８】
2006007123.tif 000010
【図９】
2006007123.tif 000011
【図１０】
2006007123.tif 000012
【図１１】
2006007123.tif 000013
【図１２】
2006007123.tif 000014
【図１３】
2006007123.tif 000015
【図１４】
2006007123.tif 000016
【図１５】
2006007123.tif 000017